(57)【要約】      （修正有）【課題】宿泊可能とした飲食物販売用のキッチンカーを提供する。【解決手段】キッチン用品が内部に設置された飲食物販売用のキッチンボックスを搭載したキッチンカーであって、キッチンボックスのフレーム構造体５の内の枠部材５ａと５ｂに、上に人が寝れる高さ位置で簡易ベッド９０の長手方向の両端部を係脱自在に水平に支持するための簡易ベッド支持部２０と３０を備えた。また、フレーム構造体の内の枠部材５ｄと５ｅに、上に物品を置ける高さ位置で簡易ベッドの長手方向の両端部を係脱自在に水平に支持するための簡易ベッド支持部６０と７０を備えた。【選択図】図５
0003226931.tif 000002
【実用新案登録請求の範囲】
【請求項１】
キッチン用品が内部に設置された飲食物販売用のキッチンボックスを搭載したキッチンカーであって、
キッチンボックス内で人が寝るための簡易ベッドと、
キッチンボックスのフレーム構造体に装着されて、キッチンボックス内で上に人が寝れる高さ位置で簡易ベッドの長手方向の両端部を係脱自在に支持するベッド用の一組の簡易ベッド支持部と、
を備えたことを特徴とするキッチンカー。
【請求項２】
キッチンボックスのフレーム構造体に装着されて、キッチンボックス内で上に物品を載せられる高さ位置で簡易ベッドの長手方向の両端部を係脱自在に支持する棚用の一組の簡易ベッド支持部を備えたこと、
を特徴とする請求項１記載のキッチンカー。
【請求項３】
簡易ベッドは、寝る人の幅方向に並置されて上に人が寝ることのできる複数枚の床部材から成ること、
を特徴とする請求項１または２記載のキッチンカー。
【考案の詳細な説明】
【技術分野】
【０００１】
本考案はキッチンカーに係り、とくに飲食物販売用のキッチンカーに関する。
【背景技術】
【０００２】
車両の荷台部に搭載したキッチンボックスによりアイスクリーム、ホットドッグ、ラーメン等の飲食物を移動販売できるようにしたキッチンカーが有る。このキッチンカーはトラック形の車両の荷台の上に、箱形でキッチン用品が内部に設置された飲食物販売用のキッチンボックスを搭載したものである。キッチンボックスは箱形のフレーム構造体と、フレーム構造体に装着されて、底面を除く各面の壁を形成するアルミ複合材等から成る外装板と、フレーム構造体の底面に装着されて床を形成する木製等の床板から成る。キッチンボックスの一方の側面には出入口用のドア、他方の側面には客に飲食物を対面販売するための跳ね上げ式窓が装備されている。
【０００３】
キッチンボックスの内部には流し台、テーブルのほか、ガスコンロ、給排水タンク、換気扇、調理道具、食器類等、飲食物の調理・販売に必要な用品が備えられている。
このように構成されたキッチンカーにより、広場、公園、お祭り会場などで、簡単な調理をしながら各種の飲食物を対面販売できるようになっている。
ところで、販売者の自宅から離れた場所で何日か続けて営業したい場合、毎日自宅まで戻るのには移動時間とガソリン代が掛かり、宿に泊まるのには宿泊費が掛かる問題というがあった。
【考案の概要】
【考案が解決しようとする課題】
【０００４】
本考案は上記した従来技術の問題に鑑みなされたもので、宿泊可能とした飲食物販売用のキッチンカーを提供することを、その目的とする。
【課題を解決するための手段】
【０００５】
請求項１記載の考案では、
キッチン用品が内部に設置された飲食物販売用のキッチンボックスを搭載したキッチンカーであって、
キッチンボックス内で人が寝るための簡易ベッドと、
キッチンボックスのフレーム構造体に装着されて、キッチンボックス内で上に人が寝れる高さ位置で簡易ベッドの長手方向の両端部を係脱自在に支持するベッド用の一組の簡易ベッド支持部と、
を備えたことを特徴としている。
請求項２記載の考案では、
キッチンボックスのフレーム構造体に装着されて、キッチンボックス内で上に物品を載せられる高さ位置で簡易ベッドの長手方向の両端部を係脱自在に支持する棚用の一組の簡易ベッド支持部を備えたこと、
を特徴としている。
請求項３記載の考案では、
簡易ベッドは、寝る人の幅方向に並置されて上に人が寝ることのできる複数枚の床部材から成ること、
を特徴としている。
【考案の効果】
【０００６】
本考案によれば、例えば何日か連続して自宅から離れた場所で営業したい場合に、飲食物販売用のキッチンボックスを搭載したキッチンカーの中で簡易宿泊が可能となり、自宅との間の移動時間と移動費用、或いは宿泊費用の抑制を図ることが可能となる。
【図面の簡単な説明】
【０００７】
【図１】本発明の一実施例に係るキッチンカーの外観を示す左側面図である（実施例１）。
【図２】図１の右面図である。
【図３】図１の平面図である。
【図４】図１の正面図である。
【図５】図１中のキッチンボックスの外装板、ドア、跳ね上げ式窓を外した状態を示す左側面図である。
【図６】図１中のキッチンボックスの外装板、ドア、跳ね上げ式窓を外した状態を示す右側面図である。
【図７】図１中のキッチンボックスの外装板、ドア、跳ね上げ式窓を外した状態を示す平面図である。
【図８】図１中のキッチンボックスの外装板、ドア、跳ね上げ式窓を外した状態を示す正面図である。
【図９】図１中のキッチンボックスの外装板、ドア、跳ね上げ式窓を外した状態を示す背面図である。
【図１０】図１０は図５中のXX-XX'線に沿った断面図である。
【図１１】図１１は図５中のXI-XI'線に沿った断面図である。
【図１２】図１２は図５中のXII-XII'線に沿った断面図である。
【図１３】図１３は図１４中のXIII-XIII'線に沿った断面図である。
【図１４】図１４（１）は図１中の前側の簡易ベッド支持部の平面図、（２）は左側面図である。
【図１５】図１５（１）は図１中の後側の簡易ベッド支持部の平面図、（２）は左側面図である。
【図１６】図１６（１）は図１中の簡易ベッドの平面図、（２）は側面図である。
【図１７】簡易ベッドを流し台の上でベッドとして使用する場合の説明図である。
【図１８】簡易ベッドを流し台の上でベッドとして使用する場合の説明図である。
【図１９】簡易ベッドを流し台の上方で棚として使用する場合の説明図である。
【図２０】簡易ベッドを流し台の上方で棚として使用する場合の説明図である。
【考案を実施するための最良の形態】
【０００８】
以下、本考案の最良の形態を実施例に基づき説明する。
【実施例１】
【０００９】
図１乃至図１６を参照して本考案の一実施例に係るキッチンカーを説明する。図１は本考案の一実施例に係るキッチンカーの外観を示す左側面図、図２は図１の右側面図、図３は図１の平面図、図４は図１の正面図、図５は図１中のキッチンボックスの外装板、ドア、跳ね上げ式窓を外した状態を示す左側面図、図６は図１中のキッチンボックスの外装板、ドア、跳ね上げ式窓を外した状態を示す右側面図、図７は図１中のキッチンボックスの外装板、ドア、跳ね上げ式窓を外した状態を示す平面図、図８は図１中のキッチンボックスの外装板、ドア、跳ね上げ式窓を外した状態を示す正面図、図９は図１中のキッチンボックスの外装板、ドア、跳ね上げ式窓を外した状態を示す背面図、図１０は図５中のX-X'線に沿った断面図、図１１は図５中のXI-XI'線に沿った断面図、図１２は図５中のXII-XII'線に沿った断面図、図１３は図５中のXIII-XIII'線に沿った断面図、図１４は図１中の前側の簡易ベッド支持部の平面図及び左側面図、図１５は図１中の後側の簡易ベッド支持部の平面図及び左側面図、図１６は図１中の簡易ベッドの平面図及び側面図である。
【００１０】
これらの図において、１はキッチンカーであり、トラック形の車両２の荷台３の上に、箱形でキッチン用品が内部に設置された飲食物販売用のキッチンボックス４が搭載されている。キッチンボックス４は、アルミ、鋼、ステンレス等の金属製の角パイプ材を用いて溶接、ビス止め等により形成した箱形のフレーム構造体５と、フレーム構造体５に装着されて、底面を除く各面の壁を形成するアルミ複合材から成る外装板６と、フレーム構造体５の底面に装着されて床を形成する木板製、金属板製等の床板（図示せず）とから成る。なお、キッチンボックス４の右側面には出入口用のドア７、左側面には客に飲食物を対面販売するための跳ね上げ式窓８が装備されている。
【００１１】
キッチンボックス４の内部には前部の右側床上に流し台１０、左側面の跳ね上げ式窓８の脇の床上にテーブル１１が設置されており、キッチンボックス４には他に図示しないガスコンロ、給排水タンク、換気扇、調理道具、食器類等、飲食物の調理・販売に必要な用品が備えられている。
【００１２】
キッチンボックス４の内部の内、左側の前部と後部で、テーブル１１の上方のフレーム構造体５には、上に人が寝れる高さ位置で後述する簡易ベッド（符号９０参照）の長手方向（ここでは車両前後方向）の両端部を係脱自在に係止して支持するためのベッド用の一組の簡易ベッド支持部２０、３０が装着されている。簡易ベッド支持部２０、３０は、フレーム構造体５の内の左右方向に延びた枠部材５ａ、５ｂに溶接、ビス止め等により固定されている。
また、キッチンボックス４の内部の内、右側の前部と後部のフレーム構造体５にも、上に人が寝れる高さ位置で後述する簡易ベッドの長手方向の両端部を係脱自在に係止して支持するためのベッド用の予備の一組の簡易ベッド支持部４０、５０が装着されている。簡易ベッド支持部４０、５０は、フレーム構造体５の内の左右方向に延びた枠部材５ａ、５ｃに溶接、ビス止め等により固定されている。
【００１３】
更に、キッチンボックス４の内部の内、右側の前部と後部のフレーム構造体５で、予備の簡易ベッド支持部４０、５０が装着された位置より上方で、上に物品を載せられる高さ位置に、簡易ベッドの長手方向の両端部を係脱自在に係止して支持するための棚用の一組の簡易ベッド支持部６０、７０が装着されている。簡易ベッド支持部６０、７０は、フレーム構造体５内の左右方向に延びた枠部材５ｄ、５ｅに溶接、ビス止め等により固定されている。
簡易ベッド支持部２０と３０、４０と５０、６０と７０は互いに向かう合うように装着されるとともに、キッチンボックス４の前後方向の中央から見て前後対称に形成されている。簡易ベッド支持部２０、４０、６０は図１４に示す如く、断面がＬ字状の基部部材８０と、基部部材８０の内、フレーム構造体５との接触面以外を覆うゴムまたはプラスチック製のクッション材８１とから構成されている。簡易ベッド支持部３０、５０、７０は図１５に示す如く、断面がＬ字状の基部部材８２と、基部部材８２の内、フレーム構造体５との接触面以外を覆うゴムまたはプラスチック製のクッション材８３とから構成されている。
【００１４】
９０は簡易ベッドであり、長手方向（ここでは前後方向）の両端部を簡易ベッド支持部２０と３０、４０と５０、６０と７０の任意の組に対して、水平に係脱自在に係止させるこどできるように形成されている。簡易ベッド９０は図１６に示す如く、各々、前後方向の縦長さが約18０〜200 ｃｍ、左右方向の横幅が約50〜60cmの大きさに形成された同形の２枚のベッド部材９１、９２から成る。ベッド部材９１、９２はアルミ、鋼、ステンレス、強化プラスチック等の強度および耐久性有る材質により形成されている。
簡易ベッド９０を一組の簡易ベッド支持部２０と３０（または４０と５０）に係止することで（図１乃至図１３の符号９０参照（または図１７、図１８の符号９０参照））、人が上に載り、横になって寝ることができるようになっている。
この際、２枚のベッド部材９１、９２の間隔を広げたり、狭くしたりすることにより、太ったり、痩せたりした人の体形に合わせた左右幅のベッドとすることができる。
【００１５】
また簡易ベッド９０の長手方向の両端部を第２の一組の簡易ベッド支持部６０と７０の間に水平に係止することで、ベッドとして使用しないベッド部材９１、９２をキツチンボックス４内での作業の邪魔にならないように収納したり、或いは、上に物品を載せる棚として使用することもできるようになっている（図１９、図２０の符号９０参照）。
なお、一組の簡易ベッド支持部２０と３０（または４０と５０）に水平に係止することでも、上に物品を載せる棚として使用することができる。棚として使用する際、２枚のベッド部材９１、９２を上下に重ね合わせても良い。
【００１６】
この実施例によれば、飲食物販売用のキッチンカー１のキッチンボックス３のフレーム構造体４に簡易ベッド支持部２０と３０（または４０と５０）を装着し、ベッドの使用時、簡易ベッド８０の長手方向の両端部を簡易ベッド支持部２０と３０（または４０と５０）に係止することで、人が上に載り、横になって寝ることができるようにしたので、何日か連続して自宅から離れた場所で営業したい場合に、キッチンカー１の中で簡易宿泊が可能となり、自宅との間の移動時間と移動費用、宿泊費用の抑制を図ることが可能となる。
また、また簡易ベッド９０の長手方向の両端部を簡易ベッド支持部６０と７０の間に水平に係止することで、ベッドとして使用しないベッド部材９１、９２をキツチンボックス４内での作業の邪魔にならないように収納したり、或いは、上に物品を載せる棚として使用することもできる。
また、簡易ベッド支持部２０、３０、４０、５０、６０、７０が強度の有るフレーム構造体５に装着されているので、簡易ベッド９０の上で人が寝てもキッチンボックス４の変形を招く恐れはない。
また、簡易ベッド９０を２枚のベッド部材９１、９２により構成したことで、取り扱いが容易となる。
【００１７】
なお、上記した実施例では簡易ベッドを１組用いる場合を例に挙げて説明したが、簡易ベッドを２つ用意すれば、一つを簡易ベッド支持部２０と３０に係止し、他の一つを簡易ベッド支持部４０と５０に係止することにより、２人がベッドに寝ることができる。また、一方をベッドとして使用し、他方を棚として使用することもできる。
また、簡易ベッドを２枚のベッド部材により構成した場合を例に挙げて説明したが、３枚以上のベッド部材により構成しても良い。
【産業上の利用可能性】
【００１８】
本考案は、飲食物販売用のキッチンカーに適用可能である。
【符号の説明】
【００１９】
１  キッチンカー
２  車両
３  荷台
４  キッチンボックス
５  フレーム構造体
５ａ、５ｂ、５ｃ、５ｄ、５ｅ  枠部材
１０  流し台
１１  テーブル
２０、３０、４０、５０、６０、７０  簡易テーブル支持部
９０  簡易ベッド
９１、９２  ベッド部材
【図１】
0003226931.tif 000003
【図２】
0003226931.tif 000004
【図３】
0003226931.tif 000005
【図４】
0003226931.tif 000006
【図５】
0003226931.tif 000007
【図６】
0003226931.tif 000008
【図７】
0003226931.tif 000009
【図８】
0003226931.tif 000010
【図９】
0003226931.tif 000011
【図１０】
0003226931.tif 000012
【図１１】
0003226931.tif 000013
【図１２】
0003226931.tif 000014
【図１３】
0003226931.tif 000015
【図１４】
0003226931.tif 000016
【図１５】
0003226931.tif 000017
【図１６】
0003226931.tif 000018
【図１７】
0003226931.tif 000019
【図１８】
0003226931.tif 000020
【図１９】
0003226931.tif 000021
【図２０】
0003226931.tif 000022
【手続補正書】
【提出日】令和2年4月15日(2020.4.15)
【手続補正１】
【補正対象書類名】実用新案登録請求の範囲
【補正対象項目名】全文
【補正方法】変更
【補正の内容】
【実用新案登録請求の範囲】
【請求項１】
キッチン用品が内部に設置された飲食物販売用のキッチンボックスを搭載したキッチンカーであって、
キッチンボックス内で人が寝るための簡易ベッドと、
キッチンボックスのフレーム構造体に装着されて、簡易ベッドの長手方向の両端部を支持する一組の簡易ベッド支持部と、
を備えたことを特徴とするキッチンカー。
【請求項２】
キッチンボックスのフレーム構造体に、複数組の簡易ベッド支持部を備えたこと、
を特徴とする請求項１記載のキッチンカー。
【請求項３】
簡易ベッドは、寝る人の幅方向に並置されて上に人が寝ることのできる複数枚の床部材から成ること、
を特徴とする請求項１または２記載のキッチンカー。
【手続補正２】
【補正対象書類名】明細書
【補正対象項目名】０００５
【補正方法】変更
【補正の内容】
【０００５】
請求項１記載の考案では、
キッチン用品が内部に設置された飲食物販売用のキッチンボックスを搭載したキッチンカーであって、
キッチンボックス内で人が寝るための簡易ベッドと、
キッチンボックスのフレーム構造体に装着されて、簡易ベッドの長手方向の両端部を支持する一組の簡易ベッド支持部と、
を備えたことを特徴としている。
請求項２記載の考案では、
キッチンボックスのフレーム構造体に、複数組の簡易ベッド支持部を備えたこと、
を特徴とする請求項１記載のキッチンカー。
請求項３記載の考案では、
簡易ベッドは、寝る人の幅方向に並置されて上に人が寝ることのできる複数枚の床部材から成ること、
を特徴としている。